(57)【特許請求の範囲】
【請求項１】
互いに離間した場所から照明光を発光する複数の照明装置に対して制御情報を生成する制御装置であって、
前記複数の照明装置の間における、発光動作の順番を含む発光手順を示す制御情報を生成する生成部、を備え、
前記制御情報は、前記複数の照明装置の間における前記発光動作の順番を示す情報、前記複数の照明装置の間において各照明装置が前記順番に基づいて前記発光動作を開始する時間間隔、および前記発光動作の順番が１番の照明装置が前記発光動作を開始する時間を含む、制御装置。
【請求項２】
請求項１に記載の制御装置において、
前記制御情報は、前記発光動作の順番が１番の照明装置が発光動作を開始する時間の基準となる基準情報を含む、制御装置。
【請求項３】
請求項１または２に記載の制御装置において、
前記発光動作の順番は、前記複数の照明装置を予め複数のグループに分類したグループ間における順番を示す、制御装置。
【請求項４】
請求項１〜３の何れか一項に記載の制御装置において、
前記制御情報を前記複数の照明装置に対して無線送信する送信部、を更に有する制御装置。
【請求項５】
請求項４に記載の制御装置において、
前記送信部は、前記制御情報を含む１つの通信パケットを、前記複数の照明装置へブロードキャスト送信する、制御装置。
【請求項６】
請求項１〜３の何れか一項に記載の制御装置において、
前記複数の照明装置に対して無線で情報通信する通信装置を装着可能な装着部と、
前記装着部に装着された前記通信装置に対して、前記制御情報を送信する送信部と、を更に有する制御装置。
【請求項７】
請求項１〜６のいずれか一項に記載の制御装置において、
前記制御情報は、撮影補助光としての本発光を行う前の予備発光に関する、前記複数の照明装置に対する制御情報である、制御装置。
【請求項８】
請求項１〜７のいずれか一項に記載の制御装置を搭載する撮影装置。
【請求項９】
互いに離間した場所から照明光を発光する複数の照明装置との間で情報通信する通信装置であって、
前記複数の照明装置の間における、発光動作の順番を含む発光手順を示す制御情報を、前記複数の照明装置に対して無線で通信する通信部、を備え、
前記制御情報は、前記複数の照明装置の間における前記発光動作の順番を示す情報、前記複数の照明装置の間において各照明装置が前記順番に基づいて前記発光動作を開始する時間間隔、および前記発光動作の順番が１番の照明装置が前記発光動作を開始する時間を含む、通信装置。
【請求項１０】
請求項９に記載の通信装置において、
前記制御情報は、前記発光動作の順番が１番の照明装置が発光動作を開始する時間の基準となる基準情報を含む、通信装置。
【請求項１１】
請求項９または１０に記載の通信装置において、
前記発光動作の順番は、前記複数の照明装置を予め複数のグループに分類したグループ間における順番を示す、通信装置。
【請求項１２】
請求項９〜１１の何れか一項に記載の通信装置において、
前記通信部は、前記制御情報を含む１つの通信パケットを、前記複数の照明装置へブロードキャスト送信する、通信装置。
【請求項１３】
請求項９〜１２のいずれか一項に記載の通信装置において、
前記制御情報は、撮影補助光としての本発光を行う前の予備発光に関する、前記複数の照明装置に対する制御情報である、通信装置。
【請求項１４】
互いに異なる複数の照明装置の間における、発光動作の順番を含む発光手順を示す制御情報を受信する受信部と、
前記受信部で受信された前記制御情報に基づいて、前記発光動作を制御する制御部と、を備え、
前記制御情報は、前記複数の照明装置の間における前記発光動作の順番を示す情報、前記複数の照明装置の間において各照明装置が前記順番に基づいて前記発光動作を開始する時間間隔、および前記発光動作の順番が１番の照明装置が前記発光動作を開始する時間を含む、照明装置。
【請求項１５】
請求項１４に記載の照明装置において、
前記制御情報は、前記発光動作の順番が１番の照明装置が発光動作を開始する時間の基準となる基準情報を含む、照明装置。
【請求項１６】
請求項１４または１５に記載の照明装置において、
前記制御部は、前記受信部で受信された前記制御情報に基づいて、前記発光動作を開始する時間を決定する照明装置。
【請求項１７】
請求項１６に記載の照明装置において、
前記順番が１番の照明装置の前記制御部は、前記制御情報として含まれている時間を、前記発光動作を開始する時間に決定する照明装置。
【請求項１８】
請求項１６または１７に記載の照明装置において、
前記順番が２番の照明装置の前記制御部は、前記制御情報として含まれている時間に、前記時間間隔を加算した時間を、前記発光動作を開始する時間に決定する照明装置。
【請求項１９】
請求項１４〜１８の何れか一項に記載の照明装置において、
前記発光動作の順番は、前記複数の照明装置を予め複数のグループに分類したグループ間における順番を示す、照明装置。
【請求項２０】
請求項１４〜１９のいずれか一項に記載の照明装置において、
前記制御情報は、撮影補助光としての本発光を行う前の予備発光に関する、前記複数の照明装置に対する制御情報である、照明装置。
【請求項２１】
互いに離間した場所から照明光を発光する複数の照明装置に対して制御情報を生成する制御装置であって、
前記制御情報は、前記複数の照明装置の間における発光の順番を示す情報と、最初に発光する照明装置の前記発光の開始時間に関する情報と、前記複数の照明装置が前記順番に基づいて前記発光を開始する時間間隔を示す情報と、を含む、制御装置。
【請求項２２】
請求項２１に記載の制御装置において、
前記発光の順番は、前記複数の照明装置を予め複数のグループに分類したグループ間における順番を示す、制御装置。
【請求項２３】
請求項２１または２２に記載の制御装置において、
前記制御情報を前記複数の照明装置に対して無線送信する送信部、を更に有する制御装置。
【請求項２４】
請求項２１〜２３のいずれか一項に記載の制御装置を搭載する撮影装置。
【請求項２５】
互いに離間した場所から照明光を発光する複数の照明装置との間で情報通信する通信装置であって、
前記複数の照明装置の間における発光の順番を示す情報と、最初に発光する照明装置の前記発光の開始時間に関する情報と、前記複数の照明装置が前記順番に基づいて前記発光を開始する時間間隔を示す情報とを含む制御情報を、前記複数の照明装置に対して無線で通信する通信部、を備える通信装置。
【請求項２６】
互いに異なる複数の照明装置の間における発光の順番を示す情報と、最初に発光する照明装置の前記発光の開始時間に関する情報と、前記複数の照明装置が前記順番に基づいて前記発光を開始する時間間隔を示す情報とを含む制御情報を受信する受信部と、
前記受信部で受信された前記制御情報に基づいて、前記発光を制御する制御部と、を備える照明装置。
【発明の詳細な説明】
【技術分野】
【０００１】
本発明は、制御装置、撮影装置、通信装置、および照明装置に関する。
【背景技術】
【０００２】
無線制御によりストロボ装置を発光させて撮影するフラッシュ撮影システムが知られている（特許文献１参照）。従来技術では、複数台のストロボ装置を用いたフラッシュ撮影時に、本発光前の予備発光（モニタ発光）を行わせる場合において、モニタ発光するタイミングごとに通信が行われる。
【先行技術文献】
【特許文献】
【０００３】
【特許文献１】特開２０１０−１８５９６１号公報
【発明の概要】
【０００４】
本発明の第１の態様による制御装置は、互いに離間した場所から照明光を発光する複数の照明装置に対して制御情報を生成する制御装置であって、複数の照明装置の間における、発光動作の順番を含む発光手順を示す制御情報を生成する生成部を備え、制御情報は、複数の照明装置の間における発光動作の順番を示す情報、複数の照明装置の間において各照明装置が前記順番に基づいて発光動作を開始する時間間隔、および発光動作の順番が１番の照明装置が発光動作を開始する時間を含む。
本発明の第２の態様による撮影装置は、第１の態様の制御装置を搭載する。
本発明の第３の態様による通信装置は、互いに離間した場所から照明光を発光する複数の照明装置との間で情報通信する通信装置であって、複数の照明装置の間における、発光動作の順番を含む発光手順を示す制御情報を、複数の照明装置に対して無線で通信する通信部、を備え、制御情報は、複数の照明装置の間における発光動作の順番を示す情報、複数の照明装置の間において各照明装置が前記順番に基づいて発光動作を開始する時間間隔、および発光動作の順番が１番の照明装置が発光動作を開始する時間を含む。
本発明の第４の態様による照明装置は、互いに異なる複数の照明装置の間における、発光動作の順番を含む発光手順を示す制御情報を受信する受信部と、受信部で受信された制御情報に基づいて、発光動作を制御する制御部と、を備え、制御情報は、複数の照明装置の間における発光動作の順番を示す情報、複数の照明装置の間において各照明装置が前記順番に基づいて発光動作を開始する時間間隔、および発光動作の順番が１番の照明装置が発光動作を開始する時間を含む。
本発明の第５の態様による制御装置は、互いに離間した場所から照明光を発光する複数の照明装置に対して制御情報を生成する制御装置であって、前記制御情報は、前記複数の照明装置の間における発光の順番を示す情報と、最初に発光する照明装置の前記発光の開始時間に関する情報と、前記複数の照明装置が前記順番に基づいて前記発光を開始する時間間隔を示す情報と、を含む。
本発明の第６の態様による撮影装置は、第５の態様の制御装置を搭載する。
本発明の第７の態様による通信装置は、互いに離間した場所から照明光を発光する複数の照明装置との間で情報通信する通信装置であって、前記複数の照明装置の間における発光の順番を示す情報と、最初に発光する照明装置の前記発光の開始時間に関する情報と、前記複数の照明装置が前記順番に基づいて前記発光を開始する時間間隔を示す情報とを含む制御情報を、複数の照明装置に対して無線で通信する通信部、を備える。
本発明の第８の態様による照明装置は、互いに異なる複数の照明装置の間における発光の順番を示す情報と、最初に発光する照明装置の前記発光の開始時間に関する情報と、前記複数の照明装置が前記順番に基づいて前記発光を開始する時間間隔を示す情報とを含む制御情報を受信する受信部と、受信部で受信された制御情報に基づいて、発光動作を制御する制御部と、を備える。
【図面の簡単な説明】
【０００５】
【図１】一実施の形態による撮影システムの構成を例示する図である。
【図２】カメラ、マスター無線アダプタ、電子閃光装置（照明装置）、リモート無線アダプタ、およびリモート電子閃光装置（リモート照明装置）の構成を例示するブロック図である。
【図３】無線通信を説明する図である。
【図４】多灯撮影時の発光タイミングを例示する図である。
【図５】通信パケットを例示する図である。
【図６】モニタ発光パケットにおけるデータの詳細を例示する図である。
【図７】本発光パケットにおけるデータの詳細を例示する図である。
【図８】発光ゲインパケットにおけるデータの詳細を例示する図である。
【図９】発光タイミングパケットにおけるデータの詳細を例示する図である。
【図１０】撮影処理の流れを例示するフローチャートである。
【発明を実施するための形態】
【０００６】
以下、図面を参照して本発明を実施するための形態について説明する。
図１は、本発明の一実施の形態による撮影システムの構成を例示する図である。図１の撮影システムは、マスター無線アダプタ１０および電子閃光装置２０の双方が装着されたカメラ３０と、リモート無線アダプタ１０Ａが装着されたリモート電子閃光装置２０Ａと、リモート無線アダプタ１０Ｂが装着されたリモート電子閃光装置２０Ｂと、リモート無線アダプタ１０Ｃが装着されたリモート電子閃光装置２０Ｃと、リモート無線アダプタ１０Ｄが装着されたリモート電子閃光装置２０Ｄと、によって構成された多灯フラッシュ撮影システムである。
また本撮影システムは、図１から明らかなように、カメラ３０と、電子閃光装置２０およびマスター無線アダプタ１０とは物理的に接続している。その一方で、カメラ３０と、リモート電子閃光装置２０Ａ〜２０Ｄ（およびリモート無線アダプタ１０Ａ〜１０Ｄ）とは物理的に接続しておらず、互いに離れて（離間して）配置されている。つまり本撮影システムは、リモート多灯フラッシュ撮影システムである。
なお、本実施の形態において、電子閃光装置２０と、リモート電子閃光装置２０Ａ〜２０Ｄとは、構造的には同じ構成の（同じ種類の、または同じ機能を持つ）電子閃光装置であるが、通信規格上問題なければ（本システムで動作することが可能な電子閃光装置であれば）、互いに種類の異なる電子閃光装置同士を組み合わせて撮影システムを構成しても良い。
【０００７】
電子閃光装置２０、およびリモート電子閃光装置２０Ａ〜電子閃光装置２０Ｄはそれぞれ、カメラ３０に設けられている周知の構造のアクセサリシュー(不図示)に対して着脱可能に装着される取り付け脚を有する。なお、これら取り付け脚は、リモート無線アダプタ１０Ａ〜１０Ｄのアクセサリシュー（不図示）にも着脱可能である。図１の例では、電子閃光装置２０の取り付け脚がカメラ３０のアクセサリシューに装着されており、また電子閃光装置２０Ａ〜２０Ｄの各取り付け脚は、リモート無線アダプタ１０Ａ〜１０Ｄのアクセサリシューにそれぞれ装着されている。
なお、本実施の形態では、リモート無線アダプタ１０Ａ〜１０Ｄを電子閃光装置に着脱可能な装置として説明するが、これらリモート無線アダプタ１０Ａ〜１０Ｄは、電子閃光装置２０Ａ〜２０Ｄに内蔵させる構造でもよい。また本実施の形態ではマスター無線アダプタ１０を、カメラ３０に着脱可能な装置として説明するが、このマスター無線アダプタは、カメラ３０に内蔵させる構造にしてもよい。
【０００８】
マスター無線アダプタ１０は電気的な接続端子（電気接点）を備えている。カメラ３０は例えばその側面に、アダプタ１０の電気接点と電気的に接続可能な接続端子（不図示の電気接点）を備えている。マスター無線アダプタ１０がカメラ３０に装着されると、両者の電気接点が電気的に接続する。
リモート無線アダプタ１０Ａ〜１０Ｄのアクセサリシューも電気接点（不図示）を備えている。上記リモート電子閃光装置２０Ａ〜２０Ｄの取り付け脚にも電気接点が設けられており、各リモート電子閃光装置２０Ａ〜２０Ｄを各リモート無線アダプタ１０Ａ〜１０Ｄに装着すると、両者間の電気接点同士が電気的に接続する。
【０００９】
カメラ３０のアクセサリシューに直接装着された電子閃光装置２０は、アクセサリシューに備えられる不図示の電気接点、および電子閃光装置２０の取り付け脚に設けられた電気接点を介して、カメラ３０との間で有線通信を行う。カメラ３０の側面に装着されたマスター無線アダプタ１０は、上述の電気接点を介してカメラ３０との間で有線通信を行う。
【００１０】
マスター無線アダプタ１０は、リモート無線アダプタ１０Ａ、リモート無線アダプタ１０Ｂ、リモート無線アダプタ１０Ｃ、およびリモート無線アダプタ１０Ｄ、との間で無線通信を行う。
【００１１】
リモート無線アダプタ１０Ａと電子閃光装置２０Ａとは、リモート無線アダプタ１０Ａのアクセサリシューおよび電子閃光装置２０Ａの取り付け脚にそれぞれ設けられている上述の電気接点を介して、有線通信を行う。リモート無線アダプタ１０Ｂと電子閃光装置２０Ｂとは、リモート無線アダプタ１０Ｂのアクセサリシューおよび電子閃光装置２０Ｂの取り付け脚にそれぞれ設けられている上述の電気接点を介して有線通信を行う。リモート無線アダプタ１０Ｃと電子閃光装置２０Ｃとは、リモート無線アダプタ１０Ｃとアクセサリシューおよび電子閃光装置２０Ｃの取り付け脚にそれぞれ設けられている上述の電気接点を介して有線通信を行う。リモート無線アダプタ１０Ｄと電子閃光装置２０Ｄとは、リモート無線アダプタ１０Ｄとアクセサリシューおよび電子閃光装置２０Ｄの取り付け脚にそれぞれ設けられている上述の電気接点を介して有線通信を行う。
【００１２】
なお、図１の構成は、１台のカメラ３０と５台の電子閃光装置２０、２０Ａ〜２０Ｄで構成する多灯フラッシュ撮影システムである。図１では、カメラ３０のアクセサリシューに直接接続された電子閃光装置２０を除き、カメラ３０から離間して配置されているリモート電子閃光装置２０Ａ〜２０Ｄの中でグループ分けをしている。図１の例では、電子閃光装置２０ＡをグループＡとし、電子閃光装置２０ＢをグループＢとし、電子閃光装置２０ＣをグループＣとし、電子閃光装置２０ＤをグループＤとする。電子閃光装置の総数は５台でなくてもよく、１台以上であれば何台でも良い（５台より少なくても多くても良い）。また、各グループに含まれるリモート電子閃光装置の数や、グループの数も、適宜変更して構わない。さらにまた、カメラ３０のアクセサリシューに直接接続される電子閃光装置２０がカメラ３０に装着せずに（或いは、カメラ３０に装着されていたとしてもフラッシュ撮影時に発光させないように機能オフにして）、リモート電子閃光装置２０Ａ〜２０Ｄのみを用いて多灯フラッシュ撮影システムを構成してもよい。
【００１３】
図２は、カメラ３０、マスター無線アダプタ１０、電子閃光装置２０、リモート無線アダプタ１０Ａ、および電子閃光装置２０Ａの構成を例示するブロック図である。本実施の形態では、マスター無線アダプタ１０およびリモート無線アダプタ１０Ａを同一の回路構成にしたため、両無線アダプタ間で共通するブロックに対して同一符号を付して説明する。また電子閃光装置２０およびリモート電子閃光装置２０Ａも、それ自身の構成（内部構成含めて）は共通であるため、内部のブロックに同一符号を付して説明する。
【００１４】
また、図２において図示を省略しているが、リモート無線アダプタ１０Ｂおよびリモート電子閃光装置２０Ｂの構成と、リモート無線アダプタ１０Ｃおよびリモート電子閃光装置２０Ｃの構成と、リモート無線アダプタ１０Ｄおよびリモート電子閃光装置２０Ｄの構成は、それぞれリモート無線アダプタ１０Ａおよびリモート電子閃光装置２０Ａの構成と同様である。
【００１５】
＜電子閃光装置＞
図２において、電子閃光装置２０およびリモート電子閃光装置２０Ａはそれぞれ、キセノン管などの発光管２０１と、発光制御回路２０２と、ＣＰＵ２０３と、温度検出部２０４と、電池残量検出部２０５と、を含む。ＣＰＵ２０３は、接続されている外部機器のＣＰＵ（リモート無線アダプタ１０ＡのＣＰＵ１０５、またはカメラ３０のＣＰＵ３０６）との間で有線通信を行いながら、発光管２０１の発光を制御する。
【００１６】
発光制御回路２０２は、放電発光に必要な電荷（エネルギー）を蓄積するメインコンデンサと、そのメインコンデンサに対して充電処理を行う高電圧充電回路とを含む。発光制御回路２０２は、ＣＰＵ２０３からの指示に基づいて蓄積エネルギーの放電時間を制御することにより、発光管２０１を所望の発光量（目標発光量）で放電発光させる。なお目標発光量は、電子閃光装置２０またはリモート電子閃光装置２０Ａとは別に設けられた外部機器から（電子閃光装置２０に対してはカメラ３０から、一方、リモート電子閃光装置に対してはカメラ３０に装着されたマスター無線アダプタ１０から）、各電子閃光装置内のＣＰＵ２０３へ伝達される。具体的には、リモート電子閃光装置２０Ａの場合には、リモート電子閃光装置２０Ａとは離間して配置されたカメラ３０で目標発光量の情報が生成され、その生成された目標発光量の情報がマスター無線アダプタ１０から、リモート無線アダプタ１０Ａを介して、電子閃光装置２０Ａ内のＣＰＵ２０３へ伝達される。またカメラ３０のアクセサリシューを介してカメラ３０に物理的に接続された電子閃光装置２０の場合には、カメラ３０で生成された目標発光量の情報が、電子閃光装置２０の取り付け脚の電気接点およびカメラ３０のアクセサリシューの電気接点を介して、カメラ３０から電子閃光装置２０内のＣＰＵ２０３へ伝達される。
【００１７】
発光制御回路２０２は、メインコンデンサ内の蓄積エネルギーが所定値に達している場合に、ＣＰＵ２０３へレディ情報(メインコンデンサ内の蓄積エネルギーが発光動作に必要な容量だけ充電済みであり、いつでも発光可能な状態であることを示す情報)を送出する。発光制御回路２０２は、蓄積エネルギーが所定値未満の場合には、レディ情報を送出しない。一般に、レディ情報を送出するための所定値は、エネルギーの最大蓄積容量より少ない値である。
なお、発光制御回路２０２は、発光管２０１の放電発光時（放電発光開始直前）のエネルギー蓄積量を示す情報を、放電発光後の所定時間（例えば３秒）の間、保持している。
【００１８】
また、発光制御回路２０２は、上記目標発光量（ＣＰＵ２０３を介して伝達される）と実際の発光量との光量差を検出し、光量差が許容値より大きい場合に発光量不足情報をＣＰＵ２０３へ送出する。発光制御回路２０２は、光量差が許容値未満の場合には、発光量不足情報を送信しない。実際の発光量は、放電発光に費やした蓄積エネルギーに基づいて推定する。
【００１９】
温度検出部２０４は、電子閃光装置２０（２０Ａ）の各部の温度を検出し、検出温度が所定温度より高い場合にＣＰＵ２０３へ温度警告情報を送出する。温度検出部２０４は、検出温度が所定温度より低い場合には、温度警告情報を送出しない。
【００２０】
電池残量検出部２０５は、不図示の電池の電圧を検出し、電池残量が発光管２０１を放電発光させるために必要な残量より少ない場合（電池電圧が所定電圧値以下）に、ＣＰＵ２０３へ電池警告情報を送出する。電池残量検出部２０５は、電池残量が上記必要な残量を上回っている場合は、電池警告情報を送出しない。
【００２１】
＜無線アダプタ＞
マスター無線アダプタ１０およびリモート無線アダプタ１０Ａは、それぞれ、アンテナ１０１と、通信回路１０２と、ＣＰＵ１０５とを含む。各ＣＰＵ１０５は、各無線アダプタ１０、１０Ａに設けられた電気接点を介してそれぞれ物理的に接続されている外部機器のＣＰＵ（電子閃光装置２０ＡのＣＰＵ２０３、またはカメラ３０のＣＰＵ３０６）との間で有線通信を行う他、他の無線アダプタと間で行う無線通信の制御を行う。
【００２２】
通信回路１０２は、ＣＰＵ１０５からの指示に応じて、アンテナ１０１を介して他の無線アダプタと間で無線通信を行う。
【００２３】
＜カメラ＞
カメラ３０は、撮影レンズ３０１と、シャッタ３０２と、撮像素子３０３と、測光センサ３０４と、シャッタ駆動装置３０５と、ＣＰＵ３０６と、操作部材（レリーズスイッチ含む）３０７と、メモリ３０８と、表示部３０９と、を備える。
【００２４】
撮影レンズ３０１は、被写体像を撮像素子３０３の撮像面に結像させる。シャッタ３０２は、シャッタ駆動装置３０５によって開閉制御される。測光センサ３０４は、入射光の強さに応じた測光信号を出力する。ＣＰＵ３０６は、測光信号に基づいて所定の露出演算を行うことにより、撮像素子３０３の感度、シャッタ３０２の開時間、および不図示の絞りの絞り値を制御する。また、ＣＰＵ３０６は、上記測光センサ３０４からの出力信号に基づいて、各電子閃光装置２０、２０Ａ〜２０Ｄに対する調光制御も行う。
【００２５】
操作部材３０７は、レリーズスイッチやメニュースイッチ、操作ダイヤルなどを含み、各種操作に応じた操作信号をＣＰＵ３０６へ送出する。撮像素子３０３は、被写体像を光電変換して画像信号を出力する。撮像素子３０３から出力された画像信号は、ＣＰＵ３０６によって所定の画像処理が施される。画像処理には、輪郭強調処理、補間処理、ホワイトバランス調整処理などが含まれる。画像処理後の画像信号は、メモリカードなどの記録媒体３５０に記録される。
【００２６】
メモリ３０８は、電子閃光装置２０または電子閃光装置２０Ａから送信された色温度情報を記憶する。色温度情報は、例えば、発光管２０１が発光する光の色温度を示すテーブルデータによって構成されており、発光量と、色温度（Ｋ）との関係を示す。
【００２７】
表示部３０９は、例えば、カメラ３０のボディ背面に設けた液晶表示器によって構成され、撮影画像や、操作メニュー画面、情報表示画面などを表示する。
【００２８】
＜多灯撮影＞
多灯フラッシュ撮影を行う場合、カメラ３０のＣＰＵ３０６は、撮影者によるレリーズスイッチ３０７の押下操作（撮影指示）を検出してレリーズシーケンス処理を開始させる。そして、有線通信を介してマスター無線アダプタ１０および電子閃光装置２０へ発光指示を送出する。
【００２９】
なお、撮影指示に先立って、マスター無線アダプタ１０とリモート無線アダプタ１０Ａ〜１０Ｄ（すなわちカメラ３０と電子閃光装置２０Ａ〜２０Ｄ）との間で無線通信が確立されているものとする。例えば、マスター無線アダプタ１０が、無線接続を要求するリモート無線アダプタ１０Ａ〜１０Ｄを検出して個別に無線接続を行い、個々のリモート無線アダプタを認識するためのＩＤを付与することによって、マスター無線アダプタ１０と、各リモート無線アダプタ１０Ａ〜１０Ｄとの間で無線通信を確立させる。
【００３０】
また、電子閃光装置２０、および無線通信を確立したリモート無線アダプタ１０Ａ〜１０Ｄに対応するリモート電子閃光装置２０Ａ〜２０Ｄのうち、次回の撮影の際に発光すべき電子閃光装置が、撮影者による撮影前の操作であらかじめ指定されているものとする。また、リモート電子閃光装置２０Ａ〜２０Ｄのグループ割も、撮影者による撮影前の操作であらかじめ指定されているものとする。
【００３１】
―カメラとマスター無線アダプタ間の有線通信―
カメラ３０（ＣＰＵ３０６）と、マスター無線アダプタ１０（ＣＰＵ１０５）との間の通信は、上述の電気接点を介した有線通信である。この有線通信は、カメラ３０が主導して必要に応じて適宜行う。
【００３２】
カメラ３０とマスター無線アダプタ１０との間の通信は、通常、カメラ３０がマスター無線アダプタ１０へコマンドおよびデータを送信し、これを受信したマスター無線アダプタ１０がカメラ３０へ返信（ack）する。このコマンドおよびデータには、リモート電子閃光装置２０Ａに対するもの、リモート電子閃光装置２０Ｂに対するもの、リモート電子閃光装置２０Ｃに対するもの、リモート電子閃光装置２０Ｄに対するものが含まれる。
【００３３】
―カメラとカメラのアクセサリシューに接続された電子閃光装置間との有線通信―
また、カメラ３０（ＣＰＵ３０６）と、電子閃光装置２０（ＣＰＵ２０３）との間の通信も、カメラ３０のアクセサリシューに設けられた複数の電気接点（不図示）、および電子閃光装置２０の取り付け脚に設けられた複数の電気接点（不図示）との間の電気的接触を介して行われる有線通信である。カメラ３０のＣＰＵ３０６と電子閃光装置２０のＣＰＵ２０３との間では、これら複数の電気接点を介して、前述の目標発光量などのデータや後述するコマンド等の情報通信を行う。なおこの有線通信も、カメラ３０が主導して必要に応じて適宜行う。
【００３４】
カメラ３０と電子閃光装置２０との間の通信（有線通信）は、通常、カメラ３０が電子閃光装置２０へコマンドおよびデータを送信し、これを受信した電子閃光装置２０がカメラ３０へ返信（ack）する。このコマンドには、電子閃光装置２０に対する情報（電子閃光装置２０に対するモニタ発光や本発光を示すコマンド、およびモニタ発光時の発光量や、本発光時の目標発光量等のデータ、等）が含まれる（リモート電子閃光装置に対するコマンドやデータは含まれない）。なお後述するが、本実施形態では、電子閃光装置２０に対する本発光の指示は、シンクロ接点のＯＮ信号を用いて行う。なお本実施の形態において、モニタ発光動作（以下単に「モニタ発光」とも称す）とは、これから撮影しようとしている被写界内（撮影シーン内）に存在している被写体の反射率を測定するために電子閃光装置が行う照明光（微小な発光量の閃光）の発光動作である。電子閃光装置は通常、カメラ３０に対してレリーズ操作が行われると、このモニタ発光を、実際の撮影（撮影した画像をメモリカード等の記録媒体に記録するための本撮影）に伴って電子閃光装置が行う本発光動作（被写体を所望の露出（例えば適正露出にするための発光動作、以下単に「本発光」とも称す）よりも前のタイミングに行うよう制御される。
【００３５】
−マスター無線アダプタとリモート無線アダプタ間の通信−
マスター無線アダプタ１０とリモート無線アダプタ１０Ａ、マスター無線アダプタ１０とリモート無線アダプタ１０Ｂ、マスター無線アダプタ１０とリモート無線アダプタ１０Ｃ、およびマスター無線アダプタ１０とリモート無線アダプタ１０Ｄとの間の通信は、それぞれ無線通信である。図３は、マスター無線アダプタ１０がリモート無線アダプタ１０Ａ（リモート無線アダプタ１０Ｂ、リモート無線アダプタ１０Ｃ、またはリモート無線アダプタ１０Ｄ）との間で行う無線通信を説明する図である。
【００３６】
リモート無線アダプタ１台当たりの無線通信の発生頻度は、カメラ３０とマスター無線アダプタ１０との間の通信の発生頻度と同じである。すなわち、カメラ３０とマスター無線アダプタ１０との間の有線通信の後、遅滞なくマスター無線アダプタ１０と各リモート無線アダプタとの間で無線通信が行われる。
【００３７】
通常、マスター無線アダプタ１０とリモート無線アダプタ１０Ａ（１０Ｂ、１０Ｃまたは１０Ｄ）との間で行う情報の通信は、マスター無線アダプタ１０がリモート無線アダプタ１０Ａ（１０Ｂ、１０Ｃまたは１０Ｄ）へ上記コマンドおよびデータを送信し、これを受信したリモート無線アダプタ１０Ａ（１０Ｂ、１０Ｃまたは１０Ｄ）がマスター無線アダプタ１０へ返信（ack）する。コマンドおよびデータには、通信相手のリモート無線アダプタ１０Ａ（１０Ｂ、１０Ｃまたは１０Ｄ）に装着されている電子閃光装置２０Ａ（２０Ｂ、２０Ｃまたは２０Ｄ）に対するものが含まれる。しかしながら、後述するレリーズシーケンス中におけるマスター無線アダプタ１０とリモート無線アダプタ１０Ａ（１０Ｂ、１０Ｃまたは１０Ｄ）との間の通信では、リモート無線アダプタ１０Ａ（１０Ｂ、１０Ｃまたは１０Ｄ）はマスター無線アダプタ１０へ返信（ack）を行わない（マスター無線アダプタ１０およびカメラ３０からも返信を求めない）システムになっている。レリーズシーケンス中の通信動作については後述する。
【００３８】
−リモート無線アダプタとリモート電子閃光装置間の通信−
各リモート無線アダプタ１０Ａ（１０Ｂ、１０Ｃまたは１０Ｄ）と、各リモート電子閃光装置２０Ａ（２０Ｂ、２０Ｃまたは２０Ｄ）との間の通信は、上述したように互いに設けられた電気接点を介した有線通信である。この有線通信は、各リモート無線アダプタ１０Ａ（１０Ｂ、１０Ｃまたは１０Ｄ）がマスター無線アダプタ１０との無線通信を行った後で、対応するリモート電子閃光装置との間で直ちに行う。
【００３９】
リモート無線アダプタ１０Ａ（１０Ｂ、１０Ｃまたは１０Ｄ）とリモート電子閃光装置２０Ａ（２０Ｂ、２０Ｃまたは２０Ｄ）との間の有線通信は、通常、リモート無線アダプタ１０Ａ（１０Ｂ、１０Ｃまたは１０Ｄ）が対応する電子閃光装置２０Ａ（２０Ｂ、２０Ｃまたは２０Ｄ）へ上記コマンドおよびデータを送信し、これを受信した電子閃光装置２０Ａ（２０Ｂ、２０Ｃまたは２０Ｄ）がリモート無線アダプタ１０Ａ（１０Ｂ、１０Ｃまたは１０Ｄ）へ返信（ack）する。コマンドおよびデータには、リモート無線アダプタ１０Ａ（１０Ｂ、１０Ｃまたは１０Ｄ）に装着されているリモート電子閃光装置２０Ａ（２０Ｂ、２０Ｃまたは２０Ｄ）に対するものが含まれる。
【００４０】
＜多灯撮影時の発光タイミング＞
レリーズシーケンスにおける、電子閃光装置２０および各リモート電子閃光装置２０Ａ〜２０Ｄの発光タイミングについて、図４を参照して説明する。図４は、電子閃光装置２０およびリモート電子閃光装置２０Ａ〜２０Ｄから撮影補助光を発光させる多灯照明（フラッシュ）撮影において、ＴＴＬ(through the lens)調光制御を行う場合のタイミングを例示する図である。
【００４１】
以下、図４を用いて発光シーケンスのタイムスケジュールを説明する。カメラ３０の操作者（撮影者）によりカメラ３０のレリーズスイッチ３０７の押下操作（撮影指示）が行われると、時刻ｔ０において、カメラ３０のＣＰＵ３０６がレリーズシーケンス処理を開始させる。
【００４２】
本実施の形態におけるＴＴＬ調光制御時のレリーズシーケンス処理では、ＣＰＵ３０６から指示を受けたシャッタ駆動装置３０５がシャッタ３０２を開駆動する前（本撮影露光前）に、各電子閃光装置（電子閃光装置２０、リモート電子閃光装置２０Ａ〜２０Ｄ）にモニタ発光動作を行わせると共に、そのモニタ発光動作に連動するようにカメラ３０側では測光動作を行う。
【００４３】
まず時刻ｔ０において、カメラ３０（ＣＰＵ３０６）から、まず電子閃光装置２０に対して、アクセサリシューの電気接点を介して、モニタ発光の指示（後述するコマンドＡ）が出される。この指示（コマンドＡ）に基づいて、時刻ｔ１で電子閃光装置２０がモニタ発光する。
次に時刻ｔ３において、カメラ３０（ＣＰＵ３０６）から、複数のリモート電子閃光装置２０Ａ〜２０Ｄにモニタ発光の指示（後述するコマンドＢ）が出される。この指示（コマンドＢ）に基づいて、各リモート電子閃光装置２０Ａ〜２０Ｄは、システム全体として合計４回のモニタ発光動作を行う。具体的には、時刻ｔ４、ｔ６、ｔ８、ｔ１０で各リモート電子閃光装置２０Ａ〜２０Ｄが（上記グループ単位で）順番に発光する（時刻ｔ４でＡグループのリモート電子閃光装置２０Ａのモニタ発光  →  時刻ｔ６でＢグループのリモート電子閃光装置２０Ｂのモニタ発光  →  時刻ｔ８でＣグループのリモート電子閃光装置２０Ｃのモニタ発光  →  時刻ｔ１０でＤグループのリモート電子閃光装置２０Ｄのモニタ発光）。
このように本実施形態の場合（電子閃光装置２０、およびリモート電子閃光装置２０Ａ〜２０Ｄの、合計５つの電子閃光装置を使用してリモート多灯フラッシュ撮影を行う場合）には、一度のレリーズシーケンス処理中に、合計５回のモニタ発光が行われる。なお各電子閃光装置におけるモニタ発光は、電子閃光装置２０および２０Ａ〜２０Ｄが、それぞれ後述するモニタ発光時の目標発光量（目標モニタ発光量）で発光する。
【００４４】
カメラ３０の測光センサ３０４は、上記５回のモニタ発光のタイミングに合わせて、それぞれ被写体からの反射光を受光するように制御される（測光）。ＣＰＵ３０６は、測光センサ３０４から出力された測光信号に基づいて公知の演算処理（図４に記載の「カメラ処理」における「測光」に引き続く「演算処理」）を行うことにより、電子閃光装置２０およびリモート電子閃光装置２０Ａ〜２０Ｄそれぞれの、本発光時の目標発光量（目標本発光量）を演算する。
【００４５】
電子閃光装置２０における本発光時の目標発光量（以下、「目標本発光量」とも称す）の演算例は、以下の通りである。電子閃光装置２０およびリモート電子閃光装置２０Ａ〜２０Ｄをいずれも発光させない状態で測光センサ３０４から出力された測光信号と、電子閃光装置２０にモニタ発光させた状態で測光センサ３０４から出力された測光信号と、の差分に基づいて電子閃光装置２０の目標本発光量を演算する。
【００４６】
同様に、各グループのリモート電子閃光装置（グループＡ、グループＢ、グループＣ、およびグループＤ）についても、それぞれ電子閃光装置２０および２０Ａ〜２０Ｄを発光させない状態で測光センサ３０４から出力された測光信号と、各グループを構成するリモート電子閃光装置（本例では、リモート電子閃光装置２０Ａ、またはリモート電子閃光装置２０Ｂ、またはリモート電子閃光装置２０Ｃ、またはリモート電子閃光装置２０Ｄ）にモニタ発光させた状態で測光センサ３０４から出力された測光信号と、の差分に基づいて各グループの目標本発光量を演算する。
【００４７】
ＣＰＵ３０６は、シャッタ３０２が全開する時刻ｔ１４において、電子閃光装置２０および２０Ａ〜２０Ｄを略同時に本発光させる（本撮影露光）。本発光では、電子閃光装置２０および２０Ａ〜２０Ｄが、それぞれの目標本発光量で発光する。
【００４８】
以下、多灯フラッシュ撮影動作における、各電子閃光装置（２０および２０Ａ〜２０Ｄ）の発光タイミングを、図４を用いて詳細に説明する。
＜全電子閃光装置に対するモニタ発光の指示＞
時刻ｔ０に、ユーザーのレリーズ操作に基づいてレリーズシーケンス処理を開始させたカメラ３０（ＣＰＵ３０６）は、ほぼ同じタイミング（時刻ｔ０）で、アクセサリシューの電気接点を介して、電子閃光装置２０に対して、ＣＰＵ３０６で生成したコマンドＡ（モニタ発光コマンドＡ）を送信する。このモニタ発光コマンドＡは、後述するコマンドＢ（モニタ発光コマンドＢ）とは、送信の仕方および送信内容が異なっている。このモニタ発光コマンドＡには、モニタ発光時の目標モニタ発光量を示す情報と、モニタ発光するタイミング（発光開始時間）を示す情報が含まれている。なお目標モニタ発光量は、あらかじめ決められた所定値（本発光量に比べて数百分の１程度）である。
【００４９】
次に、引き続いて時刻ｔ３で、カメラ３０（ＣＰＵ３０６）で生成されたモニタ発光コマンドＢを受領したマスター無線アダプタ１０は、全てのリモート無線アダプタ（１０Ａ〜１０Ｄ）に対して、そのモニタ発光コマンドＢを無線通信でブロードキャスト送信する。この場合においてマスター無線アダプタ１０およびカメラ３０のＣＰＵ３０６は、既述のようにレリーズシーケンス処理中（図４に示す処理中）の無線通信では、各リモート無線アダプタ１０Ａ〜１０Ｄからの返信（ack）を要求しない。すなわちこの場合の通信は、一方向の送信（一方通行の通信）である。マスター無線アダプタ１０は、このブロードキャスト送信を、複数回（例えばリモート電子閃光装置の個数分の４回）繰り返す。なおブロードキャスト送信の繰り返し送信回数は４回でなくても良く、任意の複数回数に設定可能にしても良い。
【００５０】
ここで、上述のブロードキャスト送信を複数回繰り返す理由は、通信状態が悪い環境（例えば、電磁雑音が多い環境や、他の通信機器が発信する電波との干渉が大きい環境など）が想定される無線通信の場合、送信する度に返信（ack）を待って、受信側において受信されたか否かを確認するよりも、送信を複数回繰り返すことによって、受信側において受信される確率を高める方が好ましいという考え方に基づく。
【００５１】
本実施の形態における、それぞれのリモート無線アダプタに接続中の、リモート電子閃光装置２０Ａ〜２０Ｄに対して送信されるモニタ発光コマンドＢに含まれる内容について説明する。モニタ発光コマンドＢは、複数のリモート電子閃光装置２０Ａ〜２０Ｄに順番にモニタ発光させるための手順を示す情報（モニタ発光手順情報、あるいはモニタ発光シーケンス情報）が含まれている。具体的には、モニタ発光コマンドＢは、モニタ発光対象であるグループ（複数のリモート電子閃光装置の上述したグループ）を示す情報、それらグループ間における発光順（モニタ発光動作をする順番）を示す情報と、複数のグループ間において最初にモニタ発光すべきグループ（グループ間において１番目にモニタ発光するグループ）に含まれるリモート電子閃光装置がモニタ発光すべきタイミング（発光開始時間）を示す情報（図４にて後述するtd1）と、複数のグループ間におけるモニタ発光を開始する間隔Ｔ（インターバル時間、あるグループのリモート電子閃光装置がモニタ発光を開始してから、次の順番のグループのリモート電子閃光装置がモニタ発光を開始するまでの時間間隔）を示す情報（図４にて後述するＴ）と、各リモート電子閃光装置２０Ａ〜２０Ｄの目標モニタ発光量を示す情報と、を含んでいる。なお目標モニタ発光量は、あらかじめ決められた所定値（本発光量に比べて数百分の１程度）である。
【００５２】
一方、カメラ３０のアクセサリシューを介して電子閃光装置２０に送信されるモニタ発光コマンドＡは、既述したように、上述の各リモート電子閃光装置グループ向けに送信されるモニタ発光コマンドＢとは中身（情報内容）が異なっている。電子閃光装置２０に対するモニタ発光コマンドＡには、既述の如く、電子閃光装置２０に対する目標モニタ発光量が含まれる。しかしながらモニタ発光コマンドＡは、上記モニタ発光コマンドＢに含まれるような、モニタ発光対象であるグループやそのグループ間での発光順を示す情報、１番目にモニタ発光するグループのモニタ発光タイミング（発光開始時間）情報、グループ間のモニタ発光間隔Ｔ（インターバル時間）情報、および他の電子閃光装置２０Ａ〜２０Ｄに対する目標モニタ発光量を示す情報は、含まない。
なお本実施形態では、電子閃光装置２０がモニタ発光する場合は、他の電子閃光装置２０Ａ〜２０Ｄよりも優先的にモニタ発光する（図４参照）。
【００５３】
＜電子閃光装置２０のモニタ発光＞
モニタ発光コマンドＡを受信した電子閃光装置２０Ａは、上記モニタ発光タイミング（時刻ｔ１）において、目標モニタ発光量でモニタ発光を行う。
カメラ３０（ＣＰＵ３０６）は、時刻ｔ１からモニタ発光が行われる間に測光処理を行い、モニタ発光後に電子閃光装置２０を対象とする上記演算処理を行わせる（図４に記載の「演算処理」）。この演算処理により、電子閃光装置２０の目標本発光量が算出される。
測光処理のタイミングとモニタ発光のタイミングとを合わせるように、モニタ発光コマンドＡに含める発光開始時間（ｔｄ０）が決められている。
【００５４】
＜グループＡのモニタ発光＞
モニタ発光コマンドＢを受信したグループＡのリモート無線アダプタ１０Ａは、接続されるリモート電子閃光装置２０Ａへモニタ発光コマンドＢを有線通信で送信する。本実施の形態では、４つのリモート閃光装置グループＡ〜Ｄの中でグループＡが１番目にモニタ発光するグループである。このため、リモート電子閃光装置２０Ａは、上記モニタ発光タイミング（発光開始時間＝td1）に対応する時刻ｔ４において、目標モニタ発光量でモニタ発光を行う。なお本実施形態におけるモニタ発光開始時間td1は、リモート無線アダプタ１０Ａ（リモート電子閃光装置２０Ａ）が、モニタ発光コマンドＢを受信してから、モニタ発光を開始するまでの待機（遅延）時間である。なお補足的な説明を、図６の説明において後述する。
【００５５】
カメラ３０（ＣＰＵ３０６）は、時刻ｔ４からモニタ発光が行われる間に測光処理を行い、モニタ発光後にグループＡを対象とする上記演算処理を行わせる（Gr.A演算処理）。この演算処理により、リモート電子閃光装置２０Ａの目標本発光量が算出される。
測光処理のタイミングとモニタ発光のタイミングとを合わせるように、モニタ発光コマンドに含める発光開始時間td1が決められている。
【００５６】
＜グループＢのモニタ発光＞
モニタ発光コマンドＢを受信したグループＢのリモート無線アダプタ１０Ｂは、接続されるリモート電子閃光装置２０Ｂへモニタ発光コマンドを有線通信で送信する。本実施の形態では、グループＢは２番目にモニタ発光するグループである。このため、電子閃光装置２０Ｂは、上記モニタ発光タイミング（発光開始時間＝td1）に対応する時刻ｔ４から上記グループ間のモニタ発光間隔Ｔ（インターバル時間）が経過した時刻ｔ６において、目標モニタ発光量でモニタ発光を行う。
【００５７】
カメラ３０（ＣＰＵ３０６）は、時刻ｔ６からモニタ発光が行われる間に測光処理を行い、モニタ発光後にグループＢを対象とする上記演算処理を行わせる（Gr.B演算処理）。この演算処理により、電子閃光装置２０Ｂの目標本発光量が算出される。
測光処理のタイミングとモニタ発光のタイミングとを合わせるように、モニタ発光コマンドＢに含める発光開始時間ｔｄ１およびモニタ発光間隔Ｔが決められている。
【００５８】
＜グループＣのモニタ発光＞
モニタ発光コマンドＢを受信したグループＣのリモート無線アダプタ１０Ｃは、接続される電子閃光装置２０Ｃへモニタ発光コマンドを有線通信で送信する。本実施の形態でのグループＣは、３番目にモニタ発光するグループである。このため、電子閃光装置２０Ｃは、上記モニタ発光タイミング（発光開始時間＝td1）に対応する時刻ｔ４から上記グループ間のモニタ発光間隔Ｔ（インターバル時間）×２が経過した時刻ｔ８において、目標モニタ発光量でモニタ発光を行う。
【００５９】
カメラ３０（ＣＰＵ３０６）は、時刻ｔ８からモニタ発光が行われる間に測光処理を行い、モニタ発光後にグループＣを対象とする上記演算処理を行わせる（Gr.C演算処理）。この演算処理により、電子閃光装置２０Ｃの目標本発光量が算出される。
測光処理のタイミングとモニタ発光のタイミングとを合わせるように、モニタ発光コマンドに含める発光開始時間ｔｄ１およびモニタ発光間隔Ｔが決められている。
【００６０】
＜グループＤのモニタ発光＞
モニタ発光コマンドＢを受信したグループＤのリモート無線アダプタ１０Ｄは、接続される電子閃光装置２０Ｄへモニタ発光コマンドを有線通信で送信する。本実施の形態でのグループＤは、４番目にモニタ発光するグループである。このため、電子閃光装置２０Ｄは、上記モニタ発光タイミング（発光開始時間＝td1）に対応する時刻ｔ４から上記グループ間のモニタ発光間隔Ｔ（インターバル時間）×３が経過した時刻ｔ１０において、目標モニタ発光量でモニタ発光を行う。
【００６１】
カメラ３０（ＣＰＵ３０６）は、時刻ｔ１０からモニタ発光が行われる間に測光処理を行い、モニタ発光後にグループＤを対象とする上記演算処理を行わせる（Gr.D演算処理）。この演算処理により、電子閃光装置２０Ｄの目標本発光量が算出される。
測光処理のタイミングとモニタ発光のタイミングとを合わせるように、モニタ発光コマンドに含める発光開始時間ｔｄ１およびモニタ発光間隔Ｔが決められている。
【００６２】
カメラ３０（ＣＰＵ３０６）は、上記グループＤを対象とする演算処理に続いて、時刻ｔ１１において本撮影露光に備えて所定の総合演算処理を行う。
【００６３】
＜電子閃光装置２０および全リモートグループに対する本発光の指示＞
総合演算処理後の時刻ｔ１２において、カメラ３０（ＣＰＵ３０６）から本発光コマンドＣを受信したマスター無線アダプタ１０は、その本発光コマンドＣを全てのリモート無線アダプタ１０Ａ〜リモート無線アダプタ１０Ｄへ、無線通信でブロードキャスト送信する。レリーズシーケンス処理中の無線通信であるので、既述したように、各リモート無線アダプタ１０Ａ〜１０Ｄからの返信（ack）を要求しない一方方向の送信を複数回（例えば４回）繰り返す。
またカメラ３０（ＣＰＵ３０６）は、時刻ｔ１３において、カメラ３０のアクセサリシューに接続された電子閃光装置２０に対して、本発光コマンドＤを有線通信で（アクセサリシューの電気接点を介して）送信する。
【００６４】
本実施の形態における本発光コマンドＣは、本発光タイミング（発光開始時間＝td2）と、各リモート電子閃光装置２０Ａ〜２０Ｄの目標本発光量と、を含んでいる。なお本実施形態において、発光開始時間td2は、各リモート無線アダプタ（各リモート電子閃光装置）が本発光コマンドＣを受信してから、本発光を開始までの待機（遅延）時間である。なお補足的な説明を、図７の説明において後述する。
一方、本実施の形態における本発光コマンドＤは、電子閃光装置２０の目標本発光量を含んでいる。なお本発光コマンドＤは、本発光すべきタイミングについての情報は含まれていない。なぜならば電子閃光装置２０に対する本発光動作の指示は、カメラ３０のアクセサリシューを介して伝達される、周知のシンクロ接点のＯＮ信号（従来周知のシンクロ信号）によってカメラから指示されるためである。なお、このシンクロ接点のＯＮ信号は、各リモート電子閃光装置による発光動作と、電子閃光装置２０による発光動作とが同期して行うことが出来るように、カメラ３０のＣＰＵ３０６が、シンクロ接点をＯＮするタイミングを制御して、カメラ３０から電子閃光装置２０に発信されるよう構成されている。具体的には、カメラ３０のＣＰＵ３０６は、リモート電子閃光装置に発光するよう指示した時刻に対して、どの程度早めにシンクロ接点をＯＮすれば両者（電子閃光装置２０と、リモート電子閃光装置２０Ａ〜２０Ｄ）の発光動作の同期をとれるかを示す時間差情報を予め得ており、この時間差情報に基づいてシンクロ接点をＯＮするタイミングを制御する。なおこの時間差情報は、電子閃光装置２０およびリモート電子閃光装置２０Ａ〜２０Ｄと、カメラ３０のＣＰＵ３０６との間の初期通信の際に、発光コマンドを得てから実際に発光するまでの時間に関する情報を、各電子閃光装置からカメラ３０が受信して、カメラＣＰＵ３０６が予め求めておくものである。
【００６５】
なお本発光コマンドＣを受信したリモート無線アダプタ１０Ａ〜１０Ｄは、それぞれ接続されるリモート電子閃光装置２０Ａ〜２０Ｄへ本発光コマンドＣを有線通信で送信する。
【００６６】
＜電子閃光装置２０および全リモートグループＡ〜Ｄの本発光＞
上記本発光コマンドＣを受信した電子閃光装置２０Ａ〜２０Ｄは、上記本発光タイミング（発光開始時間＝td2）に対応する時刻ｔ１４において、それぞれ目標本発光量で本発光を行う。一方、時刻ｔ１３に本発光コマンドＤを受信していた電子閃光装置２０は、上述のごとく、その後の時刻ｔ１４において、カメラ３０から発せられるシンクロ接点のＯＮ信号（Ｘ信号）によって、本発光を行う。シャッタ３０２が全開するタイミング（本撮影露光開始）と、本発光のタイミングとを合わせるように、本発光コマンドＣに含める発光開始時間＝td2、およびシンクロ接点のＯＮタイミングが決められている。
【００６７】
＜通信パケット＞
本実施の形態では、上述した無線通信において、以下のような通信パケット（図５）が生成、送信される。なお後述する通信パケット（モニタ発光パケット、本発光パケット、等）は、原則的には、カメラ３０のＣＰＵ３０６が生成するものである。そしてマスター無線アダプタ１０は、ＣＰＵ３０６が生成したそれらパケットを受信し、且つその受信したパケットをリモート無線アダプタに対して送信する。しかしながらパケットの種類によっては、マスター無線アダプタ１０が、パケットの送信だけでなくパケットの生成も行う場合がある。例えば後述するサーチ起動パケット、発光確認パケットは、マスター無線アダプタ１０が生成するパケットである。
なお、カメラ３０のアクセサリシュー（電気接点）を介して電子閃光装置２０に対して有線通信される有線通信データの構成自体は従来周知のものであるため、ここでの説明の詳細は省略する。有線通信データの構成を簡単に述べると、その有線通信データには、モニタ発光動作の指示なのか本発光動作の指示なのかを示す情報、およびそれらの発光動作を行う際の目標発光量の情報を含む。なおモニタ発光動作の指示の場合には、モニタ発光動作を行うタイミング情報（時間情報）も含まれている。
再び図５に戻って、図５は、無線通信における通信パケットを例示する図であり、デジタル通信のフォーマットに則したものである。図５において、「ｐｒｅａｍｂｌｅ」４ａは、通信の最初に送信する助走部分に相当するデータであり、受信側の無線アダプタ（例えば、リモート無線アダプタ１０Ａ〜リモート無線アダプタ１０Ｄ）においてキャリア検出やＡＧＣ、位相基準の検出のために用いられる。受信側の無線アダプタは、「ｐｒｅａｍｂｌｅ」４ａを検出すると、以降の信号の受信を可能にする。「ｐｒｅａｍｂｌｅ」４ａは、例えば０ , ０ , ０ , ０・・・のような固定ビットパターンが設定される。
【００６８】
「ＳＦＤ（Ｓｔａｒｔ ｏｆ  Ｆｒａｍｅ  Ｄｅｌｉｍｉｔｅｒ）」４ｂは、「ｐｒｅａｍｂｌｅ」４ａに続くパケットの先頭部分に付加される同期用データであり、「ＳＹＮＣ」とも呼ばれる。「ＳＦＤ」４ｂは、パケットの開始を検出するためのパターンであり、通常は１バイト（２バイトでもよい）である。通信方式によってあらかじめ標準となる「ＳＦＤ」４ｂが定められているので、所定の受信期間内に受信側の無線アダプタが受信デコードした信号が当該標準の「ＳＦＤ」４ｂと一致する場合にのみ、受信側の無線アダプタにおいて以降の受信が有効になる。
【００６９】
「Ｆｌａｍｅ  ｌｅｎｇｔｈ」４ｃは、通信データ容量（バイト数）を示すデータであり、パケットの情報量を意味する。受信側の無線アダプタは、「ＳＦＤ」４ｂを検出後に「Ｆｌａｍｅ  ｌｅｎｇｔｈ」４ｃで示されたデータ数をデコードして１回の受信を終了する。
【００７０】
「コマンド」４ｆは、処理を起動するための制御コマンドを表すデータである。例えば、マスター無線アダプタ１０が上述した本発光コマンドを送信する通信パケット（本発光パケットと呼ぶ）には、「コマンド」４ｆとして「本発光コマンド」を表すデータが付加される。また、マスター無線アダプタ１０が上述したモニタ発光コマンドを送信する通信パケット（モニタ発光パケットと呼ぶ）には、「コマンド」４ｆとして「モニタ発光コマンド」を表すデータが付加される。
【００７１】
本実施の形態では、モニタ発光パケットや本発光パケットの他に、サーチ起動パケット、発光ゲインパケット、発光タイミングパケット、発光確認パケットが用意されている。
サーチ起動パケットは、マスター無線アダプタ１０が、リモート無線アダプタ１０Ａ〜リモート無線アダプタ１０Ｄからの無線接続要求を求めるためのコマンド（接続要求問い合わせコマンド）を送信する通信パケットである。既述の如くこのパケットは、マスター無線アダプタ１０が、送信だけでなく生成も行うパケットである。
発光ゲインパケットは、マスター無線アダプタ１０が、モニタ発光や本発光における目標発光量を指示するためのコマンドを送信する通信パケットである。発光ゲインパケットには発光タイミング（発光開始時間）の情報が含まれない。
【００７２】
発光タイミングパケットは、マスター無線アダプタ１０が、モニタ発光や本発光における発光タイミング（発光開始時間）を指示するためのコマンドを送信する通信パケットである。発光タイミングパケットには目標発光量の情報が含まれない。
発光確認パケットは、マスター無線アダプタ１０が、発光後情報を求めるためのコマンド（発光後情報問い合わせコマンド）をリモート無線アダプタ１０Ａ〜リモート無線アダプタ１０Ｄへ送信する通信パケットである。既述の如くこのパケットは、マスター無線アダプタ１０が、送信だけでなく生成も行うパケットである。
【００７３】
リモート無線アダプタ１０Ａ〜リモート無線アダプタ１０Ｄは、発光後情報としての報告データ（報告パケット）をマスター無線アダプタ１０へ送信する。報告データには、例えば、本発光がいわゆるフル発光であったか否かを示すデータが含まれる。フル発光は、蓄積エネルギーの全てを放電して発光することをいう。一般に、フル発光した場合は撮影補助光が目標本発光量に到達せず、露出不足のおそれがある。
【００７４】
「相手先ＩＤ」４ｇは、「コマンド」４ｆで定義したコマンドの実行対象となるリモート無線アダプタ１０Ａ〜リモート無線アダプタ１０ＤのＩＤ、または報告パケットの送信先となるマスター無線アダプタ１０のＩＤが含まれる。
【００７５】
ここで、マスター無線アダプタ１０、リモート無線アダプタ１０Ａ〜リモート無線アダプタ１０Ｄには個別にＩＤが付与されており（例えば、Ｍ，Ａ，Ｂ，Ｃ，Ｄ）、この個別ＩＤによって無線アダプタを一意に識別することができる。
同じグループ内に複数の機器が存在する場合、例えばＡ１，Ａ２，…と個別ＩＤを付与する。また、個別ＩＤに代えて、全ての機器を指定するためのＩＤ（全装置ＩＤと呼び、例えば０（ゼロ））を指定してもよい。全装置ＩＤは、例えばリモート無線アダプタ１０Ａ〜リモート無線アダプタ１０Ｄの全てを「コマンド」４ｆの実行対象として指定する際に好適である。
【００７６】
通信パケットを受信する側の無線アダプタは、「相手先ＩＤ」４ｇに自己の個別ＩＤが含まれている場合、または全装置ＩＤが含まれている場合に、「コマンド」４ｆで定義した制御コマンドの実行対象が自分であること、または報告データの送信先が自分であることを認識する。
【００７７】
「データ」４ｈには、「コマンド」４ｆに対応するデータとして、例えばグループ情報、モード情報、時間情報、発光量情報、およびチェックデータ等を含めることができる。グループ情報は、上記グループＡ〜Ｄに関する情報である。モード情報は、動作モードを示す情報である。
【００７８】
時間情報は、同期信号が出力されてから処理開始までの時間を示す情報である。上述したように、本実施の形態では「ＳＦＤ」４ｂを同期用データとして用いる。そして、電子閃光装置２０およびカメラ３０が処理を開始するタイミングと、電子閃光装置２０Ａ〜２０Ｄが処理を開始するタイミングと、の間で以下のように同期がとられる。
【００７９】
送信側であるカメラ３０のＣＰＵ３０６は、生成した上記通信パケットをマスター無線アダプタ１０のＣＰＵ１０５へ送出する。マスター無線アダプタ１０のＣＰＵ１０５は、通信回路１０２による上記通信パケットの無線送信と並行して、上記通信パケットを先頭から読み込んで解析し、同期データとしての「ＳＦＤ」４ｂの読み込みが完了したことを検出した時点を基準に、上記時間情報で指定された時間を計時する。ＣＰＵ１０５は、指定された時間を計時した時点で、カメラ３０（ＣＰＵ３０６）へ処理の開始を示す信号を出力する。
【００８０】
受信側であるリモート無線アダプタ１０ＡのＣＰＵ１０５は、通信回路１０２で受信された通信パケットを先頭から読み込んで解析し、同期データとしての「ＳＦＤ」４ｂの読み込みが完了したことを検出した時点を基準に、上記時間情報で指定された時間を計時する。ＣＰＵ１０５は、指定された時間を計時した時点で電子閃光装置２０Ａ（ＣＰＵ２０３）へ処理の開始を示す信号を出力する。
【００８１】
これにより、上記通信パケットの「ＳＦＤ」４ｂの読み込み完了を時間的基準として、電子閃光装置２０およびカメラ３０が処理を開始するタイミングと、リモート電子閃光装置２０Ａ〜２０Ｄが処理を開始するタイミングと、の間で同期をとることができる。さらに、複数のリモート電子閃光装置２０Ａ〜２０Ｄが存在する場合でも、各リモート電子閃光装置２０Ａ〜２０ＤのＣＰＵ２０３は、同じタイミングで処理を開始することができるため、各リモート電子閃光装置２０Ａ〜２０Ｄ間での処理開始タイミングの同期も精度高くとることができる
【００８２】
なお、本願出願人と同一出願人による特開２０１２−１６８３２１号公報に示されるように、返信（ack）を要求しない一方方向の送信を複数回繰り返した場合において、受信側が、同じコマンドに対応する処理を繰り返さないようにしている。また、受信側が、１回目の送信を受信してコマンド処理を開始する場合と、２回目以降の送信を受信してコマンド処理を開始する場合とで開始された処理のタイミングに差が生じないように、送信回数に応じて時間情報を異ならせている。
【００８３】
発光量情報は、グループごとの目標発光量を示す情報である。チェックデータは、誤動作防止のためのチェックサムやＣＲＣ等のエラーチェック用のデータである。受信側であるリモート無線アダプタ１０Ａ〜１０Ｄは、それぞれチェックデータに基づいてエラー判定を行い、エラーを判定した場合には当該受信パケットを廃棄するように構成されている。
【００８４】
図６は、モニタ発光パケット（上述の「モニタ発光コマンドＢ」）における「データ」４ｈの詳細を例示する図である。グループ情報６１は、モニタ発光対象であるグループと、グループの発光順を示す。本例の場合、グループＡ、グループＢ、グループＣ、グループＤの順番である。時間情報６２は、１番目にモニタ発光するグループのモニタ発光タイミング（発光開始時間＝td1）であり、上述した「ＳＦＤ」４ｂの読み込み完了時点を基準とする時間で表される。時間情報６３は、グループ間のモニタ発光間隔Ｔ（インターバル時間）を示す。
【００８５】
発光量情報６４は、グループＡの目標モニタ発光量、グループＢの目標モニタ発光量、グループＣの目標モニタ発光量、グループＤの目標モニタ発光量を示す。グループＡに複数の電子閃光装置が存在する場合は、グループＡの目標モニタ発光量として、Ａ１の目標モニタ発光量、Ａ２の目標モニタ発光量、…というように、同グループ内の電子閃光装置の目標モニタ発光量を個別ＩＤの順番に続ける。チェックデータ６５は、エラーチェック用のデータである。
【００８６】
図７は、本発光パケット（上述の本発光コマンドＣ）における「データ」４ｈの詳細を例示する図である。グループ情報７１は、本発光対象のグループを示す。時間情報７２は、本発光タイミング（発光開始時間＝td2）であり、上述した「ＳＦＤ」４ｂの読み込み完了時点を基準とする時間で表される。モード情報７３は、上記説明したＴＴＬ調光制御方式によって発光量を決定するＴＴＬモードであるか、固定発光量で発光するマニュアル発光モードであるかを示す。
【００８７】
発光量情報７４は、グループＡの目標本発光量、グループＢの目標本発光量、グループＣの目標本発光量、グループＤの目標本発光量を示す。グループＡに複数の電子閃光装置が存在する場合は、グループＡの目標本発光量として、Ａ１の目標本発光量、Ａ２の目標本発光量、…というように、同グループ内の電子閃光装置の目標本発光量が個別ＩＤの順番に続く。チェックデータ７５は、チェックデータ６５と同様のエラーチェック用のデータである。
【００８８】
図８は、発光ゲインパケットにおける「データ」４ｈの詳細を例示する図である。グループ情報８１は、グループ情報７１と同様に、本発光対象のグループを示す。モード情報８２は、モード情報７３と同様に、発光モードを示す。発光量情報８３は、発光量情報７４と同様に、各リモート電子閃光装置２０Ａ〜２０Ｄの目標本発光量を示す。チェックデータ８４は、チェックデータ６５と同様のエラーチェック用のデータである。
【００８９】
図９は、発光タイミングパケットにおける「データ」４ｈの詳細を例示する図である。グループ情報９１は、グループ情報７１と同様に、本発光対象のグループを示す。時間情報９２は、時間情報７２と同様の発光タイミング（発光開始時間＝td2）であって、上述した「ＳＦＤ」４ｂの読み込み完了時点を基準とする時間で表される。チェックデータ９３は、チェックデータ６５と同様のエラーチェック用のデータである。
【００９０】
＜フローチャートの説明＞
図１０は、カメラ３０のＣＰＵ３０６が、撮影者によるレリーズスイッチ３０７の押下操作（撮影指示）を検出して開始させる撮影処理の流れを例示するフローチャートである。
図１０のステップＳ１０において、ＣＰＵ３０６は、電子閃光装置２０へモニタ発光コマンドＡを送信する（図４の時刻ｔ０）。このコマンドＡの送信に基づいてＣＰＵ３０６は、電子閃光装置２０のモニタ発光に並行するように、上述した時間情報で指定された時間ｔｄ０の経過後に測光処理、演算処理を行う。その後（図４の時刻ｔ３）でＣＰＵ３０６は、マスター無線アダプタ１０にモニタ発光コマンドＢ（モニタ発光パケット）を送信してステップＳ２０へ進む。
【００９１】
なお電子線装置２０にモニタ発光を実行させない場合には、ＣＰＵ３０６は上記ステップ１０において、モニタ発光コマンドＡを電子閃光装置２０に送信しない。
ステップ１０でマスター無線アダプタ１０に送信された上記モニタ発光パケット（モニタ発光コマンドＢ）は、直ちにマスター無線アダプタ１０からリモート無線アダプタを介してリモート電子閃光装置に送信され、このモニタ発光パケットに基づき、リモート電子閃光装置２０Ａ〜２０Ｄは順次、上述した時間情報（td1、Ｔ）で指定された時間の経過後にモニタ発光動作を実行する。
【００９２】
ステップＳ２０において、ＣＰＵ３０６は、各リモート電子閃光装置のモニタ発光に応じて、既述の如く、上述した時間情報（td1やＴ）で指定された時間の経過後に測光処理を開始してステップＳ３０へ進む。ステップＳ３０において、ＣＰＵ３０６は、演算処理を開始してステップＳ４０へ進む。ステップＳ４０において、ＣＰＵ３０６は、モニタ発光コマンドＢを発信した後から、すべてのリモート電子閃光装置２０Ａ〜２０Ｄにおけるモニタ発光動作が終了しているはずの時間が経過したか否かを、上述のtd1およびＴから求められる時間情報とＣＰＵ３０６内に持つタイマーによる計時結果とに基づいて判定する。すなわちＣＰＵ３０６は、モニタ発光パケットにおける「データ」４ｈ（時間情報６２，６３）に基づいて、モニタ発光の対象であるグループＡ〜Ｄの全てにおいてモニタ発光を終了している時間である場合、ステップＳ４０を肯定判定してステップＳ５０へ進む。ＣＰＵ３０６は、モニタ発光の対象であるグループＡ〜Ｄの全てにおいてモニタ発光を終了していない時間である場合、ステップＳ４０を否定判定してステップＳ２０へ戻る。ステップＳ２０へ戻る場合のＣＰＵ３０６は、残りのグループのモニタ発光に合わせて測光処理を開始させる。
【００９３】
ステップＳ５０において、ＣＰＵ３０６は、総合演算処理を開始してステップＳ６０へ進む（図４の時刻ｔ１１）。ステップＳ６０において、ＣＰＵ３０６は、露光シーケンスを開始させる。具体的には、シャッタ駆動装置３０５によりシャッタ３０２の先幕走行を開始させて、ステップＳ７０へ進む。
【００９４】
ステップＳ７０において、ＣＰＵ３０６は、マスター無線アダプタ１０から本発光コマンドＣを送信させるとともに、電子閃光装置２０へ本発光コマンドＤを送信してステップＳ８０へ進む（図４の時刻ｔ１２，１３）。また電子閃光装置２０に対しては、図４の時刻ｔ１４に、ＣＰＵ３０６は、シンクロ接点をＯＮするＸ信号を発信する。なお本発光コマンドＣに含まれている発光タイミングを示す時間情報は、このシンクロ接点のＯＮタイミングと合致するようになっている。
【００９５】
電子閃光装置２０Ａ〜２０Ｄ、および電子閃光装置２０により、上述した時間情報で指定された時間の経過後、およびＸ接点のＯＮ時に本発光の処理が開始される。シャッタ３０２が全開する図４の時刻ｔ１４において本発光が行われる。
【００９６】
ステップＳ８０において、ＣＰＵ３０６は、シャッタ駆動装置３０５によるシャッタ３０２の後幕走行が開始するタイミング（図４の時刻ｔ１５）で、撮像素子３０３から画像信号を読み出して所定の画像処理を行い、ステップＳ９０へ進む。
【００９７】
ステップＳ９０において、ＣＰＵ３０６は、電子閃光装置２０へ発光後情報問い合わせコマンドを送信してステップＳ１００へ進む。なおこのステップ１００の動作と並行して、マスター無線アダプタ１０は、各リモート無線アダプタ（各リモート電子閃光装置）に対して、カメラＣＰＵ３０６による電子閃光装置２０への発光後情報問い合わせとは独立に、リモート電子閃光装置に対する発光後情報問い合わせのために、上述の「発光確認パケット」を生成し且つそれをリモート電子閃光装置へ送信する。これによってカメラ３０は各リモート電子閃光装置からも発光後情報を受領することができる。ＣＰＵ３０６は、これらの発光後情報問い合わせによって、リモート無線アダプタ１０Ａ〜１０Ｄから送信されたリモート電子閃光装置２０Ａ〜２０Ｄに関する報告データと、電子閃光装置２０から送信された電子閃光装置２０自身に関する報告データとを得る。
【００９８】
ステップＳ１００において、ＣＰＵ３０６は、リモート無線アダプタ１０Ａ〜１０Ｄ、および電子閃光装置２０からの報告データが所定の条件を満たすか否かを判定する。ＣＰＵ３０６は、例えば、本発光の対象である全ての電子閃光装置において正常に発光された場合、ステップＳ１００を肯定判定してステップＳ１１０へ進む。ＣＰＵ３０６は、例えば、本発光の対象である一部の電子閃光装置においてフル発光された場合、ステップＳ１００を否定判定してステップＳ１２０へ進む。
【００９９】
ステップＳ１１０において、ＣＰＵ３０６は、画像処理後の画像信号をメモリカードなどの記録媒体３５０に記録し、一連の撮影処理を終了する。ステップＳ１２０において、ＣＰＵ３０６は、画像処理後の画像信号を記録媒体３５０に記録せずに、警告処理を行う。警告処理は、例えば、不図示の警告ランプを点滅させるなどして撮影者に知らせる。ＣＰＵ３０６は、警告処理後、一連の撮影処理を終了する。
【０１００】
上述した実施の形態によれば、次の作用効果が得られる。
（１）制御装置として機能するカメラ３０は、複数の照明装置の間における、発光動作の順番（６１）を含む発光手順を示す制御情報（図５，６）を生成するＣＰＵ３０６を備える。本実施の形態では、複数の照明装置に送信される１つの制御情報の中に、複数の照明装置の間の発光動作の順番を示す情報を含ませているので、その１つの制御情報を送るだけで複数の照明装置を順次発光させることができ、制御情報を複数の照明装置の発光の段階の度に作成して送信する必要がなく、通信回数を減らすことができる。
また通信装置として機能するマスター無線アダプタ１０は、複数の照明装置２０Ａ〜２０Ｄ間における、発光動作の順番（６１）を含む発光手順を示す制御情報（図５，６）を、複数の照明装置に対して無線で通信する通信部（１０１、１０２）、を備える。このマスター無線アダプタ１０によれば、複数の照明装置２０Ａ〜２０Ｄに送信される１つの制御情報の中に、複数の照明装置の間の発光動作の順番を示す情報を含ませているので、その１つの制御情報を送るだけで複数の照明装置を順次発光させることができ、制御情報を複数の照明装置の発光段階の度に送信する必要がなく、通信回数を減らすことができる。
また複数のリモート電子閃光装置２０Ａ〜２０Ｄによる発光動作の順番、複数のリモート電子閃光装置２０Ａ〜２０Ｄによる発光動作のインターバル時間、および発光動作の順番が１番のリモート電子閃光装置２０Ａ〜２０Ｄが発光動作を開始する時間を、制御情報として含むモニタ発光起動パケット（コマンドＢ）を生成するＣＰＵ３０６と、生成したモニタ発光起動パケット（コマンドＢ）を電子閃光装置２０、２０Ａ〜２０Ｄへ送信するＣＰＵ３０６と、を備える。本実施の形態では、制御情報に、発光動作の順番ごとに異なる発光動作開始時間を含めることを可能にした。このため、同じ制御情報を用いて複数の電子閃光装置へ異なる発光動作開始時間を伝えられる。従来技術では、電子閃光装置による発光動作の開始時間ごとに複数回の送信が行われていたところ、本実施の形態では、１番目の発光動作の開始時間に合わせて制御情報を１回送信すれば足りるので、２回目以降の発光動作の開始時間ごとの送信を不要にできる。これにより、通信回数を減らすことができる。通信回数が減れば、消費電力の軽減も図れる。
【０１０１】
（２）ＣＰＵ３０６は、モニタ発光パケットを１つ生成し、そしてマスター無線アダプタ１０はその生成した１つのモニタ発光起動パケットを複数のリモート電子閃光装置２０Ａ〜２０Ｄへブロードキャスト送信する（時刻ｔ３）。１つのモニタ発光起動パケットを全てのリモート電子閃光装置２０Ａ〜２０Ｄへ送るので、例えば図４の時刻ｔ２，ｔ５、ｔ７、ｔ９においてそれぞれ送信が必要であった従来技術に比べて、通信回数を減らすことができる。
また、本実施の形態によれば、グループごとに発光タイミングをずらしてモニタ発光をさせる場合における、モニタ発光処理の開始時間ごとのモニタ発光コマンドの送信を不要にできるので、多灯フラッシュ撮影時の電子閃光装置の数が多いほど、従来技術と比べた場合の通信回数の低減効果が顕著となる。
【０１０２】
（３）リモート電子閃光装置２０Ａ〜２０Ｄは、グループ単位で発光動作を実行するようにグループ割り（グループ化）されており、順番は、発光動作を担うグループの順番としたので、グループごとに発光動作の開始時間を制御できる。
【０１０３】
（４）モニタ発光起動パケットは、発光動作の順番が１番のリモート電子閃光装置２０Ａ〜２０Ｄが発光動作を開始する時間の基準となる同期用データ「ＳＦＤ」４ｂを含むようにしたので、例えば、電子閃光装置２０Ａ〜２０Ｄが処理を開始するタイミングの間で同期をとることができる。
【０１０４】
（５）リモート電子閃光装置２０Ａ〜２０Ｄは、リモート電子閃光装置２０Ａ〜２０Ｄによる発光動作の順番、複数のリモート電子閃光装置２０Ａ〜２０Ｄによる発光動作のインターバル時間、および発光動作の順番が１番の電子閃光装置が発光動作を開始する時間、を制御情報として含むモニタ発光パケットを受信するＣＰＵ２０３と、ＣＰＵ２０３で受信されたモニタ発光パケットに基づいて、発光動作を開始する時間を決定するＣＰＵ２０３と、を備える。ＣＰＵ２０３は、例えば、リモート無線通信アダプタのＣＰＵ１０５によってモニタ発光パケットの同期データ（「ＳＦＤ」４ｂ）の読み込み完了が検出された時点を基準とするので、モニタ発光パケットの制御情報に応じて、電子閃光装置毎に異なる発光動作の開始時間を決定し得る。
【０１０５】
（６）モニタ発光動作の順番が１番の電子閃光装置のＣＰＵ２０３は、モニタ発光起動パケットに制御情報として含まれている時間を、モニタ発光動作を開始する時間に決定するので、制御情報の開始時間に処理を開始し得る。
【０１０６】
（７）順番が２番の電子閃光装置のＣＰＵ２０３は、モニタ発光起動パケットに制御情報として含まれている時間にインターバル時間を加算した時間を、発光動作を開始する時間に決定するので、順番が１番の電子閃光装置が発光動作を開始してインターバル時間が経過すると発光動作を開始し得る。
【０１０７】
次のような変形も本発明の範囲内であり、変形例の一つ、もしくは複数を上述の実施の形態と組み合わせることも可能である。
（変形例１）
上述した説明では、モニタ発光を、電子閃光装置２０、および各リモート電子閃光装置のグループで１回ずつ行う例を説明したが、それぞれのモニタ発光を２回以上繰り返すようにしてもよい。カメラ３０のＣＰＵ３０６は、モニタ発光後の演算処理において、測光センサ３０４による測光量が少なく測光値を示すデータのＳ／Ｎ比が悪いと判断したグループを対象に、総合演算処理を行う前に、発光量情報６４（図６）で指定する目標モニタ発光量を前回よりも大きくして再度モニタ発光起動パケットを生成、送信する。すなわち、ＣＰＵ３０６は、マスター無線アダプタ１０から２回目のモニタ発光コマンドを送信させるとともに、電子閃光装置２０へ２回目のモニタ発光コマンドを送信する。
【０１０８】
また、カメラ３０のＣＰＵ３０６は、モニタ発光後の演算処理において、測光センサ３０４による測光量が大きく、測光レンジをオーバーフローしたグループを対象に、総合演算処理を行う前に、発光量情報６４（図６）で指定する目標モニタ発光量を前回より小さくして再度モニタ発光起動パケットを生成、送信する。すなわち、ＣＰＵ３０６は、マスター無線アダプタ１０から２回目のモニタ発光コマンドを送信させるとともに、電子閃光装置２０へ２回目のモニタ発光コマンドを送信する。
【０１０９】
ＣＰＵ３０６は、１回目のモニタ発光時に適正な測光結果が得られなかったグループについてのみモニタ発光を繰り返すことによって、全てのグループについて適正な測光結果が得られたと判断した場合に、上述した総合演算処理へ進む。
【０１１０】
このとき、従来技術のように、グループごとに個別に送信することも考えられるが、この場合には、マスター無線アダプタ１０側でその都度「ｐｒｅａｍｂｌｅ」４ａから通信を行う必要があり、時間的なロスが生じる。しかしながら、変形例１では、図６に示すように１つのモニタ発光起動パケットで、発光をさせるグループの順番、開始時間、インターバル時間、発光量情報をまとめて指定することで、時間的なロスが発生することを防止している。
【０１１１】
変形例１によれば、２回目のモニタ発光時においても、処理の開始時間がそれぞれ異なる制御情報を送るようにしたので、処理の開始時間ごとの送信が不要になる。これにより、通信回数を減らすことができる。
【０１１２】
（変形例２）
上述した説明では、モニタ発光起動パケットにおける「データ」４ｈの中で、時間情報６２に、１番目にモニタ発光するグループのモニタ発光タイミングを指定し、時間情報６３に、グループ間のモニタ発光間隔Ｔ（インターバル時間）を指定するようにした。インターバル時間を指定する代わりに、２番目以降のグループのモニタ発光タイミングをそれぞれ指定するようにしてもよい。つまり、時間情報６３の中で、２番目のグループのモニタ発光タイミング、３番目のグループのモニタ発光タイミング、…を含めてもよい。
【０１１３】
（変形例３）
上記実施形態では、マスター無線アダプタはカメラに着脱可能になっているが、これらを一体に構成（マスター無線アダプタ機能をカメラに内蔵する構成）にしても良い。
この場合において、上記実施形態で説明したマスター無線アダプタが行う動作は、カメラ３０で行われることになり、また上記実施形態で説明したマスター無線アダプタの構成は、適宜カメラ３０に組み込まれることになる（具体的に図２を用いて説明すると、マスター無線アダプタ１０の構成のうち、通信回路１０２とアンテナ１０１がカメラ３０に組み込まれ、且つ通信回路１０２は、アダプタ１０のＣＰＵ１０５が備える機能も兼ね備えたＣＰＵ３０６に電気的に接続される）。
【０１１４】
（変形例４）
上記実施形態では、リモート無線アダプタが、リモート電子閃光装置に対して着脱可能な構成になっているが、これらを一体に構成（リモート無線アダプタの機能をリモート電子閃光装置に内蔵する構成）にしても良い。
この場合において、上記実施形態で説明したリモート無線アダプタが行う動作は、リモート電子閃光装置で行われることになり、また上記実施形態で説明したリモート無線アダプタの構成は、適宜リモート電子閃光装置に組み込まれることになる（具体的に図２を用いて説明すると、リモート無線アダプタ１０Ａの構成のうち、通信回路１０２とアンテナ１０１がリモート電子閃光装置２０Ａに組み込まれ、且つ通信回路１０２は、アダプタ１０ＡのＣＰＵ１０５が備える機能も兼ね備えたＣＰＵ２０３に電気的に接続される）。
またこの場合において、上記変形例３で述べたマスター無線アダプタの機能を一体化したカメラと、上述の撮影システムを構成するようにしても良い。
この変形例４のように、リモート無線アダプタ１０Ａの機能を内蔵した照明装置２０Ａによれば、互いに異なる複数の照明装置２０Ａ〜２０Ｄ間における、発光動作の順番（６１）を含む発光手順を示す制御情報（図５，６）を受信する通信機１０Ａ（１０１，１０２）と、１０Ａで受信された制御情報に基づいて、発光動作を制御するＣＰＵ２０３と、を備える。この変形例では、複数の照明装置に送信される１つの制御情報の中に、複数の照明装置の間の発光動作の順番を示す情報を含ませているので、各照明装置２０Ａ〜２０Ｄは、カメラ（アダプタ１０）側から送信されてきた共通の制御情報だけで、複数の照明装置を順次発光させることができ、制御情報を複数の照明装置の発光の段階の度に受信する必要がなく、システムとして通信回数を減らすことができる。
【０１１５】
（変形例５）
なお本実施形態では、電子閃光装置２０がモニタ発光する場合は、他の電子閃光装置２０Ａ〜２０Ｄよりも優先的にモニタ発光する（図４参照）ように構成しているが、この順序（電子閃光装置２０のモニタ発光動作と、リモート電子閃光装置２０Ａ〜２０Ｄのそれぞれモニタ発光動作のタイミング）が逆であっても良い。
この場合には上述したモニタ発光コマンドＡおよびモニタ発光コマンドＢのタイムチャートも適宜変更される（具体的には図４において、時刻ｔ０でモニタ発光コマンドＢがリモート電子閃光装置に対して送信され、各リモート電子閃光装置によるモニタ発光およびそれに応じたカメラ側の測光および演算処理が終了したタイミングで、モニタ発光コマンドＡが電子閃光装置２０に対して送信される）。
【０１１６】
（変形例６）
本実施形態では、リモート電子閃光装置２０Ａ〜２０Ｄに対して送信されるがモニタ発光コマンド（モニタ発光パケット）および本発光コマンド（本発光パケット）を、カメラ３０のＣＰＵ３０６で生成しているが、これらのコマンド（パケット）をカメラ３０以外で生成するようにしても良い。たとえばマスター無線アダプタ１０にそれらコマンド（パケット）の生成機能を持たせるようにしても良い。
【０１１７】
上記では、実施の形態および複数の変形例を説明したが、これらの実施の形態および変形例の記載の構成を適宜組み合わせて装置（カメラ、或いは電子閃光装置）を構成しても良い。
【符号の説明】
【０１１８】
１０…マスター無線アダプタ
１０Ａ、１０Ｂ、１０Ｃ、１０Ｄ…リモート無線アダプタ
２０…電子閃光装置
２０Ａ、２０Ｂ、２０Ｃ、２０Ｄ…リモート電子閃光装置
３０…カメラ
１０１…アンテナ
１０２…通信回路
１０５、２０３、３０６…ＣＰＵ
２０１…発光管
２０２…発光制御回路
２０４…温度検出部
２０５…電池残量検出部
３０２…シャッタ
３０７…操作部材
３０８…メモリ
３０９…表示部
３５０…記録媒体
【図１】
0006597237.tif 000002
【図２】
0006597237.tif 000003
【図３】
0006597237.tif 000004
【図４】
0006597237.tif 000005
【図５】
0006597237.tif 000006
【図６】
0006597237.tif 000007
【図７】
0006597237.tif 000008
【図８】
0006597237.tif 000009
【図９】
0006597237.tif 000010
【図１０】
0006597237.tif 000011